(57)【特許請求の範囲】
【請求項１】
インクジェットインクにおいて：
式（ＩＩ）のジスアゾ染料：
0006545700.tif 000008

と；
（ｉｉ）スルホランと；
（ｉｉｉ）エチレングリコール、ジエチレングリコール、トリエチレングリコール、テトラエチレングリコール、およびペンタエチレングリコールからなる群から選択されるグリコール化合物と；
（ｉｖ）水と、
を含むことを特徴とするインクジェットインク。
【請求項２】
請求項１に記載のインクジェットインクにおいて、スルホランの量が前記グリコール化合物の量よりも多いことを特徴とするインクジェットインク。
【請求項３】
請求項１に記載のインクジェットインクにおいて、スルホラン対前記グリコール化合物の比が１０：１〜２：１の範囲内であることを特徴とするインクジェットインク。
【請求項４】
請求項１に記載のインクジェットインクにおいて、スルホランが５〜４０重量％の範囲の量で存在することを特徴とするインクジェットインク。
【請求項５】
請求項１に記載のインクジェットインクにおいて、前記グリコール化合物が１〜２０重量％の範囲の量で存在することを特徴とするインクジェットインク。
【請求項６】
請求項１に記載のインクジェットインクにおいて、前記グリコール化合物が、トリエチレングリコール、テトラエチレングリコール、およびペンタエチレングリコールからなる群から選択されるより高級なグリコールであることを特徴とするインクジェットインク。
【請求項７】
請求項１に記載のインクジェットインクにおいて、グリセロールをさらに含むことを特徴とするインクジェットインク。
【請求項８】
請求項１に記載のインクジェットインクにおいて、非イオン性界面活性剤をさらに含むことを特徴とするインクジェットインク。
【請求項９】
インクジェットプリントヘッドの寿命を改善する方法において：
請求項１に記載のインクを前記プリントヘッドのノズルチャンバに供給するステップであって、各ノズルチャンバが、前記インクに接触する関連するアクチュエータを有するステップと；
１つ以上の前記アクチュエータを作動させて、前記プリントヘッドからインクを吐出させるステップと、
を含むことを特徴とする方法。
【請求項１０】
請求項９に記載の方法において、各アクチュエータが抵抗ヒーター要素を含むことを特徴とする方法。
【請求項１１】
請求項１０に記載の方法において、前記抵抗ヒーター要素が被覆されていないことを特徴とする方法。
【請求項１２】
請求項１１に記載の方法において、前記抵抗ヒーター要素が：
チタン合金；
窒化チタン；および
チタン合金の窒化物
からなる群から選択される材料で構成されることを特徴とする方法。
【請求項１３】
請求項１２に記載の方法において、前記プリントヘッドが少なくとも１億回の吐出の寿命を有することを特徴とする方法。
【発明の詳細な説明】
【技術分野】
【０００１】
本発明は、インクジェットインクに関する。これは、主としてプリントヘッド特に本出願人のＭｅｍｊｅｔ（登録商標）プリントヘッドの寿命を改善するために開発された。
【背景技術】
【０００２】
本出願人は、媒体幅にわたって延在する固定型のＭｅｍｊｅｔ（登録商標）プリントヘッドを使用する多数の高速インクジェットプリンタを開発してきた。対照的に、実質的にすべての他の種類のインクジェットプリンタは、媒体幅を横断して移動する走査型プリントヘッドを使用している。
【０００３】
高速ページ幅印刷では、必然的に、従来の種類のインクジェットプリントヘッドと比較してプリントヘッドの設計にさらなる要求が加えられる。ノズル装置は、自己冷却設計、高いインクリフィル速度、および高い熱効率を有する必要がある。このために、本出願人は、懸架型抵抗ヒーター要素を有するもの（たとえば、米国特許第６，７５５，５０９号明細書、米国特許第７，２４６，８８６号明細書、米国特許第７，４０１，９１０号明細書、および米国特許第７，６５８，９７７号明細書に記載され、これらの内容は参照により本明細書に援用される）および埋設型（「結合型」）抵抗ヒーター要素を有するもの（たとえば、米国特許第７，３７７，６２３号明細書、米国特許第７，４３１，４３１号明細書、米国特許出願公開第２００６／２５０４５３号明細書、および米国特許第７，４９１，９１１号明細書に記載され、これらの内容は参照により本明細書に援用される）などの一連の熱気泡形成式プリントヘッドを開発している。
【０００４】
懸架型ヒーター要素を有するノズル装置では、ヒーター要素からインクへの効率的な熱伝達、および自己冷却特性の利点が得られる。しかし、懸架型ヒーター要素は典型的には結合型のものよりも堅牢性が低いため、これらはプリントヘッド寿命が比較的短いという欠点が問題となる。
【０００５】
プリントヘッド寿命を改善する方法の１つは、ヒーター要素を保護コーティング層で被覆することである。たとえば、米国特許第６，７１９，４０６号明細書（本出願人に譲渡されている）には、ヒーター要素の堅牢性を改善し、プリントヘッド寿命を改善する、共形的な保護コーティングを有する懸架型ヒーター要素が記載されている。しかし、保護コーティングは多数の理由で望ましくなく、それらは抵抗ヒーター要素から周囲のインクへの熱伝達効率を低下させ、それらは結果として自己冷却特性に影響を与え、それらによってさらなるＭＥＭＳ製造上の問題が発生する。
【０００６】
したがって、Ｍｅｍｊｅｔ（登録商標）プリントヘッド中に未被覆の（「裸の」）ヒーター要素を使用することが一般に好ましいが、プリントヘッド寿命は必然的に短縮される。ある程度は、ヒーター材料の選択によって、未被覆のヒーター要素の使用の影響が緩和されうる。たとえば、米国特許第７，４３１，４３１号明細書には、窒化チタンなどのより一般的な材料と比較して寿命が改善される自己不動態化窒化チタンアルミニウムのヒーター要素の使用が記載されている。にもかかわらず、Ｍｅｍｊｅｔ（登録商標）プリントヘッドの寿命、特に未被覆のヒーター要素を使用する場合の寿命を改善する必要性が依然として存在する。
【０００７】
ある種のインクは、ヒーター要素を特に攻撃することが分かっている。たとえば、多くの染料系インクは、ヒーター要素を腐食させ、その結果プリントヘッド寿命が短縮されることが分かっている。多色プリントヘッド（たとえばＣＭＹＫ）では、プリントヘッド寿命は、大体の場合は、最短寿命のカラーチャネルの寿命によって制限される。たとえば、黒色染料系インクがヒーター要素に対して特に腐食性であると分かっている場合、黒色チャネルが故障したときに、すべての他のカラーチャネルが依然として機能する場合でさえも、プリントヘッドの寿命は、黒色チャネルの寿命によって決定される。
【０００８】
この状況では、ノズル装置の「故障」は、許容されない印刷品質を生じさせる液滴吐出特性のあらゆる変化を意味する。たとえば、故障は、液滴速度の低下、不十分な液滴方向性、またはインクが吐出されないことによって生じうる。さらに、故障の基準は、色が異なると異なる場合がある。たとえば、黄色チャネルでの印刷品質の低下は、黒色チャネルでの印刷品質の対応する低下よりも許容できる場合があり、その理由は黒色インクの方が人間の肉眼に見やすいからである（すなわち、黒色インクは白色紙上でより高い輝度を有する）。このことは、多くの黒色染料の攻撃的性質と合わせると、通常はＭｅｍｊｅｔ（登録商標）プリントヘッド中の黒色チャネルが、プリントヘッド寿命に関して制限される色のチャネルとなることを意味する。
【０００９】
抵抗ヒーター要素を用いたプリントヘッドの寿命が改善されることが望ましい。プリントヘッドの設計を変更することなくそのようなプリントヘッドの寿命が改善されることがさらに望ましい。
【００１０】
背景として、米国特許出願公開第２００７／００５０９２６号明細書および米国特許出願公開第２０１２／００９０５０３号明細書には、式：
0006545700.tif 000002
の中央アリーレンモチーフを有するジスアゾ染料を含むインクジェットインクが記載されている。
【００１１】
従来技術に記載のこれらのジスアゾ染料は、エチレングリコールおよびジエチレングリコール共溶媒を含むインクビヒクル中に配合される。
【００１２】
２０１３年７月９日に出願された米国仮特許出願第６１／８４４，２７６号明細書（この内容は参照により本明細書に援用される）には、プリントヘッド寿命を改善するための腐食防止添加剤としてのエトキシル化ブチン−１，２−ジオールの使用が記載されている。
【発明の概要】
【００１３】
第１の態様では、本発明は：
（ｉ）式（Ｉ）のジスアゾ染料：
0006545700.tif 000003
（式中：
Ａは、−ＳＯ３Ｍ、ニトロ、カルボキシル、ハロゲン、ヒドロキシル、アミノ、Ｃ１〜４アルキルアミノ、Ｃ１〜４アルコキシ、Ｃ１〜４アルキル、Ｃ１〜４ハロアルキル、シアノ、スルホンアミド、カルバモイル、Ｃ１〜４アルキルアミド、およびＣ１〜４アルコキシカルボニルからなる群から選択される０、１、２、３、４、または５個の置換基を有するＣ６〜１４アリール基であり；
Ｂは、−ＳＯ３Ｍ、ニトロ、カルボキシル、ハロゲン、ヒドロキシル、アミノ、Ｃ１〜４アルキルアミノ、Ｃ１〜４アルコキシ、Ｃ１〜４アルキル、Ｃ１〜４ハロアルキル、シアノ、スルホンアミド、カルバモイル、Ｃ１〜４アルキルアミド、およびＣ１〜４アルコキシカルボニルからなる群から選択される０、１、２、３、４、または５個の置換基を有するＣ６〜１４アリール基であり；
それぞれのＭは、独立して、水素、リチウム、ナトリウム、カリウム、アンモニウム、および第四級アンモニウムからなる群から選択され；
式（Ｉ）の染料は、少なくとも３つの式−ＳＯ３Ｍの基を含む）と；
（ｉｉ）スルホランと；
（ｉｉｉ）エチレングリコール、ジエチレングリコール、トリエチレングリコール、テトラエチレングリコール、およびペンタエチレングリコールからなる群から選択されるグリコール化合物と；
（ｉｖ）水と、
を含むインクジェットインクを提供する。
【００１４】
ジスアゾ染料着色剤の好ましい実施形態については、以下により詳細に記載する。
【００１５】
ジスアゾ染料は、０．０１〜２５重量％の範囲の量で存在することができる。好ましくは、ジスアゾ染料は１〜１０重量％、または好ましくは２〜８重量％の範囲の量で存在する。
【００１６】
好ましくは、ジスアゾ染料は黒色染料である。
【００１７】
スルホラン（２，３，４，５−テトラヒドロチオフェン−１，１−ジオキシド）は、５〜４０重量％、好ましくは１０〜３０重量％の範囲の量で存在できる共溶媒である。
【００１８】
グリコール化合物は、１〜２０重量％、好ましくは１〜１０重量％、好ましくは２〜６重量％の範囲の量で存在できる共溶媒である。
【００１９】
好ましくは、インクは、より高級なグリコール、たとえばトリエチレングリコールまたはテトラエチレングリコール、より好ましくはトリエチレングリコールを含む。本出願人の実験では、より高級なグリコールをスルホランと組み合わせると、プリントヘッド寿命の改善に一貫して有効であり、一般に、より低級なグリコールのみを含むインクよりも性能が優れていることが示された。さらに、より高級なグリコールは、吸湿性およびカール防止性などの別の有用な性質をインクに付与する。より高級なグリコールのカール防止性は、たとえば米国特許第５，３５６，４６４号明細書に記載されている。当然ながらグリコール化合物の混合物も本発明の範囲内で考慮される。
【００２０】
好ましくは、スルホランの量はグリコール化合物の量よりも多い。好ましくは、スルホラン対グリコール化合物の比は、１０：１〜２：１、または好ましくは８：１〜４：１の範囲内である。
【００２１】
好ましくは、インクビヒクルは、０．１〜３０重量％の１種類以上の別の共溶媒、すなわち前述のスルホランおよびグリコールの共溶媒以外の共溶媒を含む。別の共溶媒の範囲は、特に限定されず、本発明に使用するための一部の好適な別の共溶媒が、以下により詳細に記載される。
【００２２】
好ましくは、インクビヒクルは、０．０５〜２重量％の少なくとも１種類の界面活性剤を含む。好ましくは、インクビヒクルは、０．１〜１重量％の界面活性剤を含む。界面活性剤の範囲は特に限定されず、本発明に使用するための一部の好適な界面活性剤は、以下により詳細に記載される。たとえば、界面活性剤は、アニオン性、カチオン性、非イオン性、または両性イオン性の界面活性剤であってよい。アセチレン部分を有する非イオン性界面活性剤（たとえば、Ａｉｒ  Ｐｒｏｄｕｃｔｓ  ａｎｄ  Ｃｈｅｍｉｃａｌｓ，Ｉｎｃ．より入手可能なＳｕｒｆｙｎｏｌ（登録商標）の一連の界面活性剤）が一般に好ましい。
【００２３】
本発明のインクは、腐食防止剤をさらに含むことができる。腐食防止剤は、プリントヘッド寿命をさらに改善するために使用することができる。好ましくは、腐食防止剤は、２０１３年７月９日に出願された米国仮特許出願第６１／８４４，２７６号明細書に記載されるようなアセチレン系化合物を含む。好ましくは、腐食防止剤は、アルコキシル化アセチレン系ジオールを含む。
【００２４】
米国仮特許出願第６１／８４４，２７６号明細書に記載されるように、好適なアルコキシル化アセチレン系ジオールとしては式（Ａ）：
Ｒ１−Ｃ≡Ｃ−（ＣＨ２）ｍＣＨ（Ｒ２）−（ＯＣＨ２Ｒ３）ｎ−ＯＨ
（Ａ）
（式中：
Ｒ１は、Ｈ、Ｃ１〜３アルキル；および−（ＣＨ２）ｐＣＨ（Ｒ４）（Ｒ５）からなる群から選択され；
Ｒ２は、ＨおよびＣ１〜３アルキルからなる群から選択され；
Ｒ３は、−ＣＨ２−および−ＣＨ（ＣＨ３）−からなる群から選択され；
Ｒ４は、ＨおよびＣ１〜３アルキルからなる群から選択され；
Ｒ５は、−ＯＨおよび−（ＯＣＨ２Ｒ３）ｑ−ＯＨからなる群から選択され；
ｍは、０、１、２、または３であり；
ｎは、１〜５０であり；
ｐは、０、１、２、または３であり；
ｑは、１〜５０である）
の化合物が挙げられる。
【００２５】
アルコキシル化アセチレン系ジオールは、式（Ｂ）：
Ｒ６−Ｃ≡Ｃ−（ＣＨ２）（ＯＣＨ２ＣＨ２ＯＨ）
（Ｂ）
（式中：
Ｒ６は、−ＣＨ２ＯＨおよび−ＣＨ２（ＯＣＨ２ＣＨ２ＯＨ）からなる群から選択される）
の化合物などのエトキシル化ブチンジオールであってよい。
【００２６】
典型的には、腐食防止剤が存在する場合、腐食防止剤は１，４−ビス（２−ヒドロキシエトキシ）−２−ブチン）を含む。
【００２７】
第２の態様では、インクジェットプリントヘッドの寿命を改善する方法において：
前述のインクをプリントヘッドのノズルチャンバに供給するステップであって、各ノズルチャンバが、インクに接触する関連するアクチュエータを有するステップと；
１つ以上のアクチュエータを作動させて、プリントヘッドからインクを吐出させるステップと、
を含む方法が提供される。
【００２８】
第２の態様による方法では、前述のインクによらないジスアゾ染料と共溶媒とを含むインクを使用する方法よりもプリントヘッド寿命が大幅に改善される。
【００２９】
好ましくは、各アクチュエータは、インクを過熱させることで気泡を形成し、ノズル開口部を介して対応するノズルチャンバからインクを吐出させる抵抗ヒーター要素を含む。
【００３０】
好ましくは、インクがヒーター要素材料に直接接触するように、ヒーター要素は被覆されない。ヒーター要素は、ノズルチャンバ中に懸架される場合もあるし、ノズルチャンバの壁（たとえば床）に結合される場合もある。
【００３１】
好ましくは、ヒーター要素は、金属、または金属窒化物などの導電性セラミック材料で構成される。本明細書において使用される場合、用語「金属」は、複数の異なる金属を含有する金属合金を含む。好ましくは、ヒーター要素は、チタン合金（たとえばチタン−アルミニウム合金）、窒化チタン、およびチタン合金の窒化物（たとえば窒化チタンアルミニウム）からなる群から選択される材料から構成される。
【００３２】
第３の態様では、
インクジェットプリントヘッドであって、複数のノズルチャンバを有し、各ノズルチャンバが、インクに接触するための関連するアクチュエータを有する、インクジェットプリントヘッドと；
ノズルチャンバに流体連通するインクリザーバであって、前述のインクが収容されるインクリザーバと、
を含むインクジェットプリンタが提供される。
【００３３】
第４の態様では、インクジェットプリントヘッドの寿命を改善するための、本明細書に記載のインクの使用、または式（Ｉ）のジスアゾ染料の使用が提供される。
【００３４】
第５の態様では、インクジェットプリントヘッドの寿命を改善する方法において：
インクをプリントヘッドのノズルチャンバに供給するステップであって、各ノズルチャンバが、インクに接触する未被覆のヒーター要素を有するステップと；
１つ以上のヒーター要素を作動させて、プリントヘッドからインクを吐出させるステップと、
を含み、
インクが：
（ｉ）黒色ジスアゾ染料と；
（ｉｉ）スルホランと；
（ｉｉｉ）トリエチレングリコール、テトラエチレングリコール、およびペンタエチレングリコールからなる群から選択されるより高級なグリコール化合物と；
（ｉｖ）水と、
を含む方法が提供される。
【００３５】
第５の態様によると、黒色ジスアゾ染料は特に限定されないが、たとえば、式（Ｉ）による染料、またはＦｏｏｄ  Ｂｌａｃｋ  ２などの別のジスアゾ染料であってよい。
【００３６】
第２、第３、第４、および第５の態様の好ましい実施形態は以上から容易に明らかとなるであろう。記載された場合の好ましい実施形態は、本発明のいずれかの特定の態様に限定されることを意図するものではない。
【００３７】
本明細書において使用される場合、用語「アリール」は、フェニル、ナフチル、またはアントラセニルなどの芳香族基を意味する。他に明記されていなければ、用語「アリール」は一般にＣ６〜１４アリール基を意味する。
【００３８】
本明細書において使用される場合、用語「アルキル」は、直鎖および分岐形態の両方のアルキル基を意味する。他に明記されていなければ、用語「アルキル」は一般にＣ１〜４アルキル基を意味する。
【００３９】
本明細書において使用される場合、用語「ハロゲン」または「ハロ」は、フッ素、塩素、臭素、およびヨウ素のいずれかを意味する。通常、用語「ハロゲン」対塩素置換基またはフッ素置換基。
【００４０】
本明細書において使用される場合、用語「ハロアルキル」は、１つ以上のハロゲン置換基を有するアルキル基、たとえばトリフルオロメチルを意味する。
【００４１】
本明細書において使用される場合、用語「カルボキシル」は、プロトン化形態または塩形態のカルボン酸基を意味する。一般に、カルボキシル基は−ＣＯ２Ｍ基であり、Ｍは前述の定義の通りである。
【００４２】
本明細書において使用される場合、用語「アルキルアミノ」は、モノ−アルキルアミノ基およびジ−アルキルアミノ基の両方を意味する。
【００４３】
本明細書において使用される場合、用語「スルホンアミド」は、アミノスルホニル基およびアルキルアミノスルホニル基を意味する。
【００４４】
本明細書において使用される場合、用語「カルバモイル」は、アミノカルボニル基およびアルキルアミノカルボニル基を意味する。
【００４５】
本明細書において使用される場合、用語「アンモニウム」は一般にＮＨ４＋カチオンを意味する。用語「第四級アンモニウム」は、一般に、式Ｎ（Ｒａ）４＋のカチオンを意味し、式中のそれぞれのＲａは、独立して、Ｃ１〜６アルキル、アリール、およびアリールアルキルからなる群から選択される。第四級アンモニウムイオンの典型的な一例はテトラメチルアンモニウムである。
【００４６】
慣例により、スルホネート基は、前出の式（Ｉ）中に−ＳＯ３Ｍとして表されている。しかし当然ながら、そのような基は通常はイオン対、すなわち−ＳＯ３−Ｍ＋として溶液中に存在すると認識されている。したがって、Ｍがアルカリ金属であると言及される場合、Ｌｉ＋、Ｎａ＋、またはＫ＋などの対応するアルカリ金属イオンＭ＋への言及を意味している。
【図面の簡単な説明】
【００４７】
これより添付の図面を参照しながら、単なる例として本発明の種々の実施形態を記載する。
【００４８】
【図１】図１は、サーマルインクジェットプリントヘッドの一部の斜視図である。
【図２】図２は、図１に示されるノズルアセンブリの１つの側面図である。
【図３】図３は、図２に示されるノズルアセンブリの斜視図である。
【図４】図４は、サーマルインクジェット印刷エンジンの斜視図である。
【発明を実施するための形態】
【００４９】
本発明者らは、染料および共溶媒の組合せを研究することによってプリントヘッド寿命の改善の問題に対する解決法を探求してきた。前述のように、プリントヘッド設計の修正が不要であるので、インク配合物はプリントヘッド寿命の問題に対する興味深い解決法の１つである。しかし、これまで、インクジェット染料の腐食性は、ナトリウムおよびカリウムなどのアルカリ金属イオンの存在、または染料分子上の反応性官能基の存在（たとえばＣ．Ｉ．Ｒｅａｃｔｉｖｅ  Ｂｌａｃｋ  ５）に関連すると理解されていた。したがって、プリントヘッド寿命を改善しようとする試みは、通常は、周知の腐食機構を抑制するためのインク添加剤に重点が置かれていた。
【００５０】
スルホン化ジスアゾ染料は、優れた再水和特性を示すので、Ｍｅｍｊｅｔ（登録商標）プリントヘッドに使用するための染料の興味深い種類の１つである。乾燥したインクでふさがれて機能しなくなったプリントヘッドノズルは、染料が好適な再水和特性を有するのであれば、通常の保守操作中に再び機能するようになる。対照的に、不十分な再水和特性（たとえばトリスアゾ染料を含有するインク）を有するインクでふさがれたノズルは、より問題となり、通常の保守操作中に容易に回復できない。
【００５１】
スルホン化ジスアゾ染料は、よく知られた種類の染料であり、たとえば、Ｆｏｏｄ  Ｂｌａｃｋ  ２：
0006545700.tif 000004
が挙げられる。
【００５２】
しかし、Ｆｏｏｄ  Ｂｌａｃｋ  ２は優れた再水和特性を有し、大部分の用途で許容される黒色光学濃度を有するが、Ｆｏｏｄ  Ｂｌａｃｋ  ２（ナトリウム塩）を配合した従来のインクは、一般に、Ｍｅｍｊｅｔ（登録商標）プリントヘッド中で＜２０００万回の吐出程度の非常に短いプリントヘッド寿命を示す。Ｆｏｏｄ  Ｂｌａｃｋ  ２のナトリウム塩をテトラメチルアンモニウムなどの別の対イオンで置換すると、プリントヘッド寿命が顕著に改善される。したがって、最初はこれがインクジェットノズル装置中のヒーターの腐食の主な原因であると考え、このことは文献（たとえば、改善されたプリントヘッド寿命のためには５×１０−３ｍｏｌ／ｌ未満のアルカリ金属イオン含有量を主張している米国特許第６，２５２，６１７号明細書を参照されたい）に報告される別の仮説と一致していた。
【００５３】
本出願人による実験では、Ｆｏｏｄ  Ｂｌａｃｋ  ２に関連するプリントヘッド寿命がナトリウムイオンをテトラメチルアンモニウムイオンで置換することによって改善可能であることが示されたが、光に対するＦｏｏｄ  Ｂｌａｃｋ  ２の比較的低い安定性のため、本発明者らは、改善された耐光性を有すると言われる同様のジスアゾ染料を検討した。たとえば、米国特許出願公開第２００７／００５０９２６号明細書および米国特許出願公開第２０１２／００９０５０３号明細書には、Ｆｏｏｄ  Ｂｌａｃｋ  ２とは異なる中央アリーレンモチーフを有し、優れた耐光性を示すジスアゾ染料が記載されている。
【００５４】
驚くべきことに、両方の染料がそれらのナトリウム塩型であり、および両方の染料が非常に類似したジスアゾ化合物であるにもかかわらず、式（Ｉ）のジスアゾ染料を含むインクは、一般に、Ｆｏｏｄ  Ｂｌａｃｋ  ２を含むインクよりも優れたプリントヘッド寿命を示すことが分かった。したがって、文献（たとえば米国特許第６，２５２，６１７号明細書）の報告とは対照的に、ナトリウムイオンの存在およびその他のことは、ヒータの腐食機構の主要な原因ではない場合があり、実際、少なくとも本出願人のＭｅｍｊｅｔ（登録商標）プリントヘッド中で使用される場合、有機染料構造の性質が、より重要な要因となると思われる。
【００５５】
さらに驚くべきことに、インクビヒクル中のある種の共溶媒の存在も、ジスアゾ染料を含有するインクのプリントヘッド寿命に大きな影響を与える。特に、スルホランおよびグリコール化合物（たとえばトリエチレングリコール）の組合せの存在によって、改善されたプリントヘッド寿命に関して明らかな相乗効果が得られた。スルホランのみまたはエチレングリコールのみを配合したインクは、この組合せと同じ改善を示さなかった。特定のジスアゾ染料と特定の共溶媒の組合せの改善されたプリントヘッド寿命に関するこの驚くべき有効性は、従来技術からは全く予想できなかった。
【００５６】
したがって、本発明は、改善されたプリントヘッド寿命、ならびに優れた耐光性および再水和特性を示すインクを提供する。さらに、本発明によるインクは、改善されたプリントヘッド寿命を実現するための不都合で場合により費用がかかるアルカリ金属イオンの置換が不要である。
【００５７】
着色剤
前述のように、本発明によるインク中の着色剤は式（Ｉ）のジスアゾ染料である。
【００５８】
好ましくは、式（Ｉ）の染料が少なくとも４つの式−ＳＯ３Ｍの基を含むように、ＡおよびＢのそれぞれが少なくとも１つの式−ＳＯ３Ｍの置換基を有する。
【００５９】
好ましくは、Ａは、−ＳＯ３Ｍ、ニトロ、カルボキシル、ハロゲン、ヒドロキシル、アミノ、Ｃ１〜４アルコキシ、およびＣ１〜４アルキルからなる群から選択される１、２、または３個の置換基を有するフェニル基またはナフチル基である。
【００６０】
好ましくは、Ａは、−ＳＯ３Ｍ、ニトロ、およびカルボキシルからなる群から選択され、より好ましくは−ＳＯ３Ｍおよびニトロからなる群から選択される１、２、または３個の置換基を有するフェニル基である。
【００６１】
好ましくは、Ａは、−ＳＯ３Ｍおよびニトロからなる群から選択される２個の置換基を有するフェニル基である。
【００６２】
好ましくは、Ｂは、−ＳＯ３Ｍ、ニトロ、カルボキシル、ハロゲン、ヒドロキシル、アミノ、Ｃ１〜４アルコキシ、およびＣ１〜４アルキルからなる群から選択される１、２、または３個の置換基を有するフェニル基またはナフチル基。
【００６３】
好ましくは、Ｂは、−ＳＯ３Ｍ、ニトロ、およびカルボキシルから選択され、より好ましくは−ＳＯ３Ｍおよびニトロからなる群から選択される１、２、または３個の置換基を有するフェニル基である。
【００６４】
好ましくは、Ｂは、−ＳＯ３Ｍおよびニトロからなる群から選択される２個の置換基を有するフェニル基である。
【００６５】
好ましくは、ＡおよびＢは互いに異なる。
【００６６】
好ましくは、Ｍはナトリウムである。
【００６７】
好ましくは、ジスアゾ染料は式（ＩＩ）：
0006545700.tif 000005
である。
【００６８】
式（Ｉ）のジスアゾ染料は、個別にまたはそれらの２つ以上の組合せのいずれかでインクジェットインク中に使用することができる。さらに、本発明によるインクは、色相および彩度が最適化されるようにインクを着色するために使用される染料などの別の着色剤を含むことができる。好適な着色用染料は当業者には容易に明らかとなるであろう。
【００６９】
インクビヒクル
本発明に使用されるインクビヒクルは、典型的には、少なくとも４０重量％の水、少なくとも５０重量％の水、または少なくとも６０重量％の水を含む従来の水性インクビヒクルである。通常、インクジェットインク中に存在する水の量は、４０重量％〜９０重量％の範囲内、または場合により５０重量％〜７０重量％の範囲内である。
【００７０】
本発明によるインクは、少なくともスルホランおよびグリコール化合物を共溶媒として含む。本発明によるインクは、別の共溶媒（吸湿剤、浸透剤、湿潤剤などを含む）、界面活性剤、殺生物剤、金属イオン封鎖剤、ｐＨ調整剤、粘度調整剤などをさらに含むことができる。
【００７１】
共溶媒は典型的には水溶性有機溶媒である。好適な水溶性有機溶媒としては、Ｃ１〜４アルキルアルコール、たとえばエタノール、メタノール、ブタノール、プロパノール、および２−プロパノール；グリコールエーテル、たとえばエチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、およびジプロピレングリコールモノ−ｎ−ブチルエーテル；ホルムアミド、アセトアミド、ジメチルスルホキシド、ソルビトール、ソルビタン、グリセロールモノアセテート、グリセロールジアセテート、グリセロールトリアセテート、およびスルホラン；またはそれらの組合せが挙げられる。
【００７２】
共溶媒として使用できる他の有用な水溶性有機溶媒としては、２−ピロリドン、Ｎ−メチルピロリドン、ε−カプロラクタム、ジメチルスルホキシド、モルホリン、Ｎ−エチルモルホリン、１，３−ジメチル−２−イミダゾリジノン、およびそれらの組合せなどの極性溶媒が挙げられる。
【００７３】
グリコール化合物に加えて、本発明のインクジェットインクは、インク組成物に保水性およびぬれ性を付与するための湿潤剤または吸湿剤として機能できる、共溶媒としての別の高沸点水溶性有機溶媒を含有することができる。高沸点水溶性有機溶媒の例は、２−ブテン−１，４−ジオール、２−エチル−１，３−ヘキサンジオール、２−メチル−２，４−ペンタンジオール、トリプロピレングリコールモノメチルエーテル、ジプロピレングリコールモノエチルグリコール、ジプロピレングリコールモノエチルエーテル、ジプロピレングリコールモノメチルエーテル、ジプロピレングリコール、トリエチレングリコールモノメチルエーテル、ジエチレングリコールモノブチルエーテル、ジエチレングリコールモノエチルエーテル、ジエチレングリコールモノメチルエーテル、トリプロピレングリコール、２０００以下の分子量のポリエチレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、グリセロール、トリメチロールプロパン、エリスリトール、ペンタエリスリトールおよびそれらの組合せである。
【００７４】
別の好適な湿潤剤または吸湿剤としては、糖類（単糖、オリゴ糖、および多糖など）およびそれらの誘導体（たとえばマルチトール、ソルビトール、キシリトール、ヒアルロン酸塩、アルドン酸、ウロン酸など）が挙げられる。
【００７５】
本発明のインクジェットインクは、記録媒体への水性インクの浸透を促進するための浸透剤を共溶媒の１つとして含有することもできる。好適な浸透剤としては、多価アルコールアルキルエーテル（グリコールエーテル）および／または１，２−アルキルジオールが挙げられる。好適な多価アルコールアルキルエーテルの例は、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、エチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、およびジプロピレングリコールモノ−ｎ−ブチルエーテルである。好適な１，２−アルキルジオールの例は、１，２−ペンタンジオールおよび１，２−ヘキサンジオールである。浸透剤は、直鎖炭化水素ジオール、たとえば１，３−プロパンジオール、１，４−ブタンジオール、１，５−ペンタンジオール、１，６−ヘキサンジオール、１，７−ヘプタンジオール、および１，８−オクタンジオールから選択することもできる。グリセロールを浸透剤として使用することもできる。
【００７６】
典型的には、本発明のインク中に存在する共溶媒の総量（スルホラン、グリコール化合物、およびその他の共溶媒を含む）は、約１０重量％〜６０重量％の範囲内、または場合により１５重量％〜５０重量％の範囲内である。
【００７７】
本発明のインクジェットインクは、アニオン性表面活性剤、両性イオン性表面活性剤、非イオン性表面活性剤、またはそれらの混合物などの１種類以上の表面活性剤（「界面活性剤」）を含有することもできる。有用なアニオン性表面活性剤としては、スルホン酸型、たとえばアルカンスルホン酸塩、α−オレフィンスルホン酸塩、アルキルベンゼンスルホン酸塩、アルキルナフタレンスルホン酸、アシルメチルタウリン、およびジアルキルスルホコハク酸；アルキル硫酸エステル塩、硫酸化油、硫酸化オレフィン、ポリオキシエチレンアルキルエーテル硫酸エステル塩；カルボン酸型、たとえば、脂肪酸塩およびアルキルサルコシン塩；ならびにリン酸エステル型、たとえばアルキルリン酸エステル塩、ポリオキシエチレンアルキルエーテルリン酸エステル塩、およびグリセロリン酸エステル塩が挙げられる。アニオン性表面活性剤の具体例は、ドデシルベンゼンスルホン酸ナトリウム、ラウリン酸ナトリウム、およびポリオキシエチレンアルキルエーテルサルフェートアンモニウム塩である。
【００７８】
両性イオン性表面活性剤の例としては、Ｎ，Ｎ−ジメチル−Ｎ−オクチルアミンオキシド、Ｎ，Ｎ−ジメチル−Ｎ−ドデシルアミンオキシド、Ｎ，Ｎ−ジメチル−Ｎ−テトラデシルアミンオキシド、Ｎ，Ｎ−ジメチル−Ｎ−ヘキサデシルアミンオキシド、Ｎ，Ｎ−ジメチル−Ｎ−オクタデシルアミンオキシド、およびＮ，Ｎ−ジメチル−Ｎ−（Ｚ−９−オクタデセニル）−Ｎ−アミンオキシドが挙げられる。
【００７９】
非イオン性表面活性剤の例としては、エチレンオキシド付加物型、たとえばポリオキシエチレンアルキルエーテル、ポリオキシエチレンアルキルフェニルエーテル、ポリオキシエチレンアルキルエステル、およびポリオキシエチレンアルキルアミド；ポリオールエステル型、たとえばグリセロールアルキルエステル、ソルビタンアルキルエステル、および糖アルキルエステル；ポリエーテル型、たとえば、多価アルコールアルキルエーテル；ならびにアルカノールアミド型、たとえばアルカノールアミン脂肪酸アミドが挙げられる。非イオン性表面活性剤の具体例は、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、およびポリオキシアルキレンアルキルエーテル（たとえばポリオキシエチレンアルキルエーテル）などのエーテル類；ならびにポリオキシエチレンオレエート、ポリオキシエチレンオレエートエステル、ポリオキシエチレンジステアレート、ソルビタンラウレート、ソルビタンモノステアレート、ソルビタンモノオレエート、ソルビタンセスキオレエート、ポリオキシエチレンモノオレエート、およびポリオキシエチレンステアレートなどのエステル類である。
【００８０】
２，４，７，９−テトラメチル−５−デシン−４，７−ジオール；エトキシル化２，４，７，９−テトラメチル−５−デシン−４，７−ジオール；３，６−ジメチル−４−オクチン−３，６−ジオールまたは３，５−ジメチル−１−ヘキシン−３−オールなどのアセチレングリコール表面活性剤を使用することもできる。本発明に使用できる非イオン性界面活性剤の具体例は、Ｓｕｒｆｙｎｏｌ（登録商標）４６５およびＳｕｒｆｙｎｏｌ（登録商標）４４０（Ａｉｒ  Ｐｒｏｄｕｃｔｓ  ａｎｄ  Ｃｈｅｍｉｃａｌｓ，Ｉｎｃより入手可能）である。
【００８１】
界面活性剤は、典型的には、０．０５重量％〜２重量％または０．１〜１重量％の範囲の量で水性インクジェットインク中に存在する。
【００８２】
本発明の水性インクジェットインクは、ｐＨ調整剤または緩衝剤、たとえば水酸化ナトリウム、水酸化カリウム、水酸化リチウム、炭酸ナトリウム、炭酸水素ナトリウム、炭酸カリウム、炭酸水素カリウム、炭酸リチウム、リン酸ナトリウム、リン酸カリウム、リン酸リチウム、リン酸二水素カリウム、リン酸水素二カリウム、シュウ酸ナトリウム、シュウ酸カリウム、シュウ酸リチウム、ホウ酸ナトリウム、四ホウ酸ナトリウム、フタル酸水素カリウム、および酒石酸水素カリウム；アンモニア；ならびにアミン類、たとえばメチルアミン、エチルアミン、ジエチルアミン、トリメチルアミン、トリエチルアミン、トリス（ヒドロキシメチル）アミノメタン塩酸塩、トリエタノールアミン、ジエタノールアミン、ジエチルエタノールアミン、トリイソプロパノールアミン、ブチルジエタノールアミン、モルホリン、プロパノールアミン、４−モルホリンエタンスルホン酸、および４−モルホリンプロパンスルホン酸（「ＭＯＰＳ」）を含むこともできる。ｐＨ調整剤が存在する場合、その量は典型的には０．０１〜２重量％または０．０５〜１重量％の範囲内である。
【００８３】
本発明の水性インクジェットインクは、殺生物剤、たとえば安息香酸、ジクロロフェン、ヘキサクロロフェン、ソルビン酸、ヒドロキシ安息香酸エステル、デヒドロ酢酸ナトリウム、１，２−ベンチアゾリン−３−オン（「Ｐｒｏｘｅｌ（登録商標）ＧＸＬ」、ＡｒｃｈＣｈｅｍｉｃａｌｓ，Ｉｎｃ．より入手可能）、３，４−イソチアゾリン−３−オン、または４，４−ジメチルオキサゾリジンも含むことができる。殺生物剤が存在する場合、その量は典型的には０．０１〜２重量％または０．０５〜１重量％の範囲内である。
【００８４】
本発明の水性インクジェットインクは、エチレンジアミン四酢酸（ＥＤＴＡ）などの金属イオン封鎖剤を含有することもできる。
【００８５】
インクジェットプリントヘッド
本発明によるインクは、主としてサーマルインクジェットプリントヘッドと関連して使用されるが、これらは、別の種類のプリントヘッド、特にアクチュエータがインクと接触するプリントヘッドに使用することができる。包括的にするため、これより米国特許第７，３０３，９３０号明細書（この内容は参照により本明細書に援用される）に記載されるような本出願人のサーマルインクジェットプリントヘッドの１つを簡単に説明する。
【００８６】
図１を参照すると、複数のノズルアセンブリを含むプリントヘッドの一部が示されている。図２および３は、これらのノズルアセンブリの１つの側面図および切欠き斜視図を示している。
【００８７】
各ノズルアセンブリは、シリコンウエハ基板２上にＭＥＭＳ製造技術によって形成されたノズルチャンバ２４を含む。ノズルチャンバ２４は、蓋２１と、蓋２１からシリコン基板２まで延在する側壁２２とによって画定される。図１に示されるように、それぞれの蓋は、プリントヘッドの吐出面にわたるノズルプレート５６の一部によって画定される。ノズルプレート５６および側壁２２は同じ材料から形成され、ＭＥＭＳ製造中にフォトレジストの犠牲足場の上にＰＥＣＶＤによって堆積される。典型的には、ノズルプレート５６および側壁は２１は、二酸化ケイ素または窒化ケイ素などのセラミック材料から形成される。これらの硬質材料は、プリントヘッドの堅牢性に関して優れた性質を有し、それら本質的な親水性は、毛管作用によるノズルチャンバ２４へのインクの供給に好都合である。
【００８８】
ノズルチャンバ２４の詳細に戻ると、各ノズルチャンバ２４の蓋中にノズル開口部２６が画定されることが分かる。各ノズル開口部２６は、一般に楕円形であり、関連のノズルリム２５を有する。ノズルリム２５は、印刷中の液滴方向性を補助し、ノズル開口部２６からのインクのあふれを少なくともある程度軽減する。ノズルチャンバ２４からインクを吐出するためのアクチュエータは、ノズル開口部２６の下に配置され、ピット８にわたって懸架されるヒーター要素２９である。下にある基板２のＣＭＯＳ層中の駆動回路に接続された電極９からヒーター要素２９に電流が供給される。電流がヒーター要素２９を流れると、周囲のインクが急速に過熱されて気泡を形成し、それによってインクがノズル開口部２６から押し出される。ヒーター要素２９を懸架することによって、ノズルチャンバ２４がプライミングされるときに、ヒーター要素２９がインク中に完全に浸漬する。これによって、下にある基板２への熱の散逸が少なくなり、より多くの入力エネルギーが気泡形成に使用されるので、プリントヘッド効率が改善される。典型的には、ヒーター要素は金属または導電性セラミック材料で構成される。好適な材料の例としては、窒化チタン、窒化チタンアルミニウム、およびチタン−アルミニウム合金が挙げられる。
【００８９】
図１からほぼ明らかなように、ノズルは列となって配置され、列に沿って長手方向に延在するインク供給チャネル２７が、列中の各ノズルにインクを供給する。インク供給チャネル２７は、各ノズルのインク導入路１５にインクを供給し、インク導入路１５は、ノズルチャンバ２４中のインク導管２３を介してノズル開口部の側部からインクを供給する。
【００９０】
このようなプリントヘッドを製造するためのＭＥＭＳ製造法、米国特許第７，３０３，９３０号明細書（この内容は参照により本明細書に援用される）に詳細に記載されている。
【００９１】
懸架型ヒーター要素を有するプリントヘッドの操作は、本出願人の米国特許第７，２７８，７１７号明細書（この内容は参照により本明細書に援用される）に詳細に記載されている。
【００９２】
本出願人は、埋設型ヒーター要素を有する熱気泡形成式インクジェットプリントヘッドも記載している。このようなプリントヘッドは、たとえば、米国特許第７，２４６，８７６号明細書および米国特許出願公開第２００６／０２５０４５３号明細書（これらの内容は参照により本明細書に援用される）に記載される。
【００９３】
本発明のインクジェットインクは、前述のような本出願人のサーマルインクジェットプリントヘッドとの組み合わせで最適に機能する。しかし、それらの使用は本出願人のサーマルプリントヘッドに限定されるものではない。本明細書に記載のインクは、別の種類の熱気泡形成式インクジェットプリントヘッド、圧電式プリントヘッド、および熱曲げ作動式プリントヘッド（たとえば、米国特許第７，９２６，９１５号明細書、米国特許第７，６６９，９６７号明細書、および米国特許出願公開第２０１１／００５０８０６号明細書に記載されるようなものであり、これらの内容は参照により本明細書に援用される）などに使用することができる。
【００９４】
包括的にするため、本出願人のサーマルインクジェットプリントヘッドが組み込まれるインクジェットプリンタは、たとえば、米国特許第７，２０１，４６８号明細書、米国特許第７，３６０，８６１号明細書、米国特許第７，３８０，９１０号明細書、および米国特許第７，３５７，４９６号明細書に記載され、これらそれぞれの内容は参照により本明細書に援用される。
【００９５】
図４は、本出願人の米国特許第８，０６６，３５９号明細書（その内容は参照により本明細書に援用される）に記載されるようなサーマルインクジェットプリンタの印刷エンジン１０３を示している。印刷エンジン１０３は、ページ幅プリントヘッドを含む取り外し可能な印刷カートリッジ１０２と、使用者が交換可能な一連のインクカートリッジ１２８とを含む。各カラーチャネルは、典型的には、それ自体のインクリザーバ１２８と、プリントヘッドに供給されるインクの静水圧を調整するための対応する圧力調整チャンバ１０６とを有する。したがって、印刷エンジン１０３は、５つのインクリザーバ１２８と、５つの対応する圧力調整チャンバ１０６とを有する。典型的には、この５チャネル印刷エンジン１０３中に使用されるインクチャネル（「カラーチャネル」）はＣＭＹＫ１Ｋ２である。米国特許出願公開第２０１３／００７００２４号明細書（この内容は参照により本明細書に援用される）に記載されるようにプリントヘッドのノズルプレートで好ましいインクカラー混合効果が最適化されるように、インクチャネルの順序を配置することができる。たとえば、シアン（Ｃ）が最も下流に配置され、イエロー（Ｙ）が最も上流に配置されるＣＭＹＫ１Ｋ２のインクチャネルの順序を使用することができる。
【００９６】
インクカートリッジ１２８の少なくとも１つが、本明細書に記載のインクジェットインクを含むことができる。種々の部品の間の流体接続は図４に示されていないが、たとえば、米国特許第８，０６６，３５９号明細書（この内容は参照により本明細書に援用される）に記載される流体システムによる好適なホースを用いてこれらの接続が形成されることは理解されよう。
【００９７】
実験の項
以下に記載の方法により加速プリントヘッド寿命試験を行った。
【００９８】
懸架型の未被覆抵抗ヒーター要素を有するノズル装置を有するＭｅｍｊｅｔ（登録商標）プリントヘッド集積回路（ＰＨＩＣ）を、改良した印刷装置の動作用に個別に搭載した。インクに曝露されるヒーター要素材料は窒化チタンアルミニウムである。
【００９９】
これらの装置は、１１ｋＨｚの周波数でインクを吐出するように操作した。作動パルス幅は、別の未改良のプリンタの動作を再現するように制御した。パルス幅は、従来「クロック」の単位で報告され、これはインクの液滴を吐出するのに必要な閾値パルス幅を超えるエネルギーを示す。各クロックは７ｎｓを表し、装置の閾値パルス幅は典型的には４７クロック（３２９ｎｓ）である。加速プリントヘッド寿命試験では、装置は２つの異なる吐出エネルギー：「＋８クロック」［３２９ｎｓ＋（８×７ｎｓ）＝３８５ｎｓ］および「＋１０クロック」［３２９ｎｓ＋（１０×７ｎｓ）＝３９９ｎｓ］で運転した。
【０１００】
試験パターンを定期的に印刷し、装置の状態を目視検査で測定した。印刷品質が所定の基地を下回ると、ＰＨＩＣがその寿命の終了に到達したと考え、試験を停止した。プリントヘッド寿命を示すために、プリントヘッドの故障の時点における吐出数を記録した。
【０１０１】
表１に記載のようにインクを配合し、使用前に濾過（０．２ミクロン）を行った。
0006545700.tif 000006
【０１０２】
前述の改良印刷装置中でインク１〜６の試験を行い、規格化された印刷品質試験パターンの目視検査により判断されるプリントヘッドの故障前の吐出数を求めた。これらの加速プリントヘッド寿命試験の結果を表２に示す。
0006545700.tif 000007
【０１０３】
表２から、以下のことを確認できる：
（１）式（ＩＩ）の黒色染料を含有するインク１、３、および５は、Ｆｏｏｄ  Ｂｌａｃｋ  ２を含有するインク２、４、および６よりもプリントヘッド寿命がはるかに長かった。これらのより長いプリントヘッド寿命は、配合物とは無関係に、試験したすべての染料がナトリウム対イオンを有したにもかかわらず、一貫して観察された。
（２）式（ＩＩ）の黒色染料を含有するインクの中では、スルホランおよびトリエチレングリコールの共溶媒を配合したインク３が、インク１およびインク５よりも全体的に優れていた。
（３）Ｆｏｏｄ  Ｂｌａｃｋ  ２を含有するインクの中では、インク４および６が同等のプリントヘッド寿命を有し、一方、インク２はプリントヘッド寿命が非常に短かった。
（４）スルホランおよびトリエチレングリコールの共溶媒を含む配合物中に式（ＩＩ）の黒色染料を含有するインク３は、他のすべてのインクよりもはるかに性能が優れていた。
【０１０４】
これらの結果から、式（ＩＩ）の染料と、スルホランおよびトリエチレングリコールとの間に相乗作用が存在し、Ｍｅｍｊｅｔ（登録商標）プリントヘッドの寿命を顕著に改善したと結論した。
【０１０５】
当然ながら、本発明は単なる例として記載されており、添付の特許請求の範囲で規定される本発明の範囲内で詳細の修正が可能であることは理解されよう。
【図１】
0006545700.tif 000009
【図２】
0006545700.tif 000010
【図３】
0006545700.tif 000011
【図４】
0006545700.tif 000012